(57)【特許請求の範囲】
【請求項１】
透液性表面シートと不透液性裏面シートとの間に吸収体が介在されるとともに、肌当接面側の両側部にそれぞれ長手方向に沿ってサイドシートが備えられ、側方に延在させた前記不透液性裏面シートの一部と前記サイドシートの一部とによって両側部にそれぞれ装着時に下着のクロッチ部分を巻き込むように外側に折り返して使用されるウイング状フラップが形成された吸収性物品において、
前記サイドシートは、幅方向内側が長手方向に沿って設けられた内側接合領域にて前記透液性表面シートに接合されるとともに、幅方向外側が吸収性物品の外形線に沿って設けられた外側接合領域にて不透液性裏面シートに接合され、前記内側接合領域と外側接合領域との間に該サイドシートを幅方向に折り返した折り返し部が長手方向に沿って形成されるとともに、該折り返し部が幅方向に折り畳まれ、この折り畳み部分が長手方向の両端部で該サイドシートに接合され、前記ウイング状フラップを含む長手方向の範囲において、前記内側接合領域と外側接合領域との間に前記サイドシートをいずれの部材にも接合しない非接合領域が形成され、
前記ウイング状フラップを折り返すとともに、前記吸収性物品を身体の前後方向の丸みに沿って湾曲させた前記吸収性物品の装着状態で、前記非接合領域において、前記折り返し部のサイドシートが展開され、外方に膨出した中空状のクッション部が形成されるようにし、前記サイドシートには弾性伸縮部材が配設されていないことを特徴とする吸収性物品。
【請求項２】
前記非接合領域は、吸収性物品の幅方向に対し、前記ウイング状フラップの基端より内側位置から前記ウイング状フラップにかけて連続して形成されている請求項１記載の吸収性物品。
【請求項３】
前記非接合領域は、吸収性物品の長手方向に対し、前記ウイング状フラップの基端部より前側及び後側に長い範囲に形成されている請求項１、２いずれかに記載の吸収性物品。
【請求項４】
前記折り返し部は、幅方向の外側に折り畳まれている請求項１〜３いずれかに記載の吸収性物品。
【請求項５】
前記折り返し部は、幅方向の内側に折り畳まれている請求項１〜３いずれかに記載の吸収性物品。
【請求項６】
前記サイドシートは、エアスルー不織布からなる請求項１〜５いずれかに記載の吸収性物品。
【請求項７】
前記サイドシートは、ポリエチレンテレフタレート繊維を含む不織布からなる請求項１〜６いずれかに記載の吸収性物品。
【発明の詳細な説明】
【技術分野】
【０００１】
本発明は、経血、おりもの、尿などの体液を吸収するための生理用ナプキン、パンティライナー、失禁パッド、使い捨て紙おむつなどの吸収性物品に係り、詳しくは肌当接面側の両側部に備えられたサイドシートによって、装着状態で外方に膨出した中空状のクッション部が形成されるようにした吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に吸収体を介在したものが知られている。
【０００３】
この種の吸収性物品にも幾多の改良が重ねられ、体液漏れを防止するための手段が種々講じられている。これら体液漏れ防止手段の一つとして、肌当接面側の両側部に横漏れの障壁となる防漏壁を形成する技術が存在する。
【０００４】
例えば、下記特許文献１では、縦方向に沿う両側部に、一対の立体ギャザーが、弾性部材を配することによって形成され、一対の前記立体ギャザーのそれぞれは、スパンボンド不織布、又はスパンボンドの層とメルトブローンの層との積層不織布の少なくとも一部を起毛しているシートを用いて形成され、前記起毛しているシートを２層以上に折り返し、折り返されたシート間に縦方向に伸長状態の１本以上の弾性部材を配して形成されている吸収性物品が開示されている。
【０００５】
また、下記特許文献２では、段落［００５０］に、サイドシート６ａ、６ｂの幅方向内側縁６ｃ、６ｄは、生理用ナプキン１が着用され、着用者の足の動きによって生理用ナプキン１の中央部Ｂが変形された場合に、圧縮部３０を基点として折れ曲がることにより、中央部Ｂのサイドシート６ａ、６ｂが肌当接面側に立ち上がって防漏壁の役割を果たすことができるようにした吸収性物品が開示されている。
【先行技術文献】
【特許文献】
【０００６】
【特許文献１】特開２０１３−５８７９号公報
【特許文献２】特開２００８−２８９６２２号公報
【発明の概要】
【発明が解決しようとする課題】
【０００７】
上記特許文献１、２記載の吸収性物品では、ウイング状フラップにおいて立体ギャザーを構成するサイドシートと裏面シートとがほぼ全面で接合されていると考えられるため、装着時にウイング状フラップを下着のクロッチ部分を巻き込むように外側に折り返した際、サイドシートが外側に引っ張られて立体ギャザーが脚周りの動きに追従しにくくなる問題があった。
【０００８】
また、上記特許文献１記載の吸収性物品では、弾性部材を配することによって立体ギャザーが形成されているため、弾性部材が肌に当たるなどして装着時に違和感を生じる場合があった。
【０００９】
更に、上記特許文献２記載の吸収性物品では、防漏壁がサイドシートの幅方向内側縁を起立させることによって形成されているため、体液を堰き止めるのに十分な起立高さが得られにくく、防漏壁が肌面に密着せず横漏れを生じる場合があった。また、防漏壁の起立高さがそれほど高くないため、吸収体の両側縁などが肌に当たって吸収体の硬さを感じやすく、装着時の違和感につながるおそれがあった。
【００１０】
そこで本発明の主たる課題は、脚周りの動きに追従しやすく、装着時の違和感が低減できるとともに、横漏れ防止効果に優れるようにした吸収性物品を提供することにある。
【課題を解決するための手段】
【００１１】
上記課題を解決するために請求項１に係る本発明として、透液性表面シートと不透液性裏面シートとの間に吸収体が介在されるとともに、肌当接面側の両側部にそれぞれ長手方向に沿ってサイドシートが備えられ、側方に延在させた前記不透液性裏面シートの一部と前記サイドシートの一部とによって両側部にそれぞれ装着時に下着のクロッチ部分を巻き込むように外側に折り返して使用されるウイング状フラップが形成された吸収性物品において、
前記サイドシートは、幅方向内側が長手方向に沿って設けられた内側接合領域にて前記透液性表面シートに接合されるとともに、幅方向外側が吸収性物品の外形線に沿って設けられた外側接合領域にて不透液性裏面シートに接合され、前記内側接合領域と外側接合領域との間に該サイドシートを幅方向に折り返した折り返し部が長手方向に沿って形成されるとともに、該折り返し部が幅方向に折り畳まれ、この折り畳み部分が長手方向の両端部で該サイドシートに接合され、前記ウイング状フラップを含む長手方向の範囲において、前記内側接合領域と外側接合領域との間に前記サイドシートをいずれの部材にも接合しない非接合領域が形成され、
前記ウイング状フラップを折り返すとともに、前記吸収性物品を身体の前後方向の丸みに沿って湾曲させた前記吸収性物品の装着状態で、前記非接合領域において、前記折り返し部のサイドシートが展開され、外方に膨出した中空状のクッション部が形成されるようにし、前記サイドシートには弾性伸縮部材が配設されていないことを特徴とする吸収性物品が提供される。
【００１２】
上記請求項１記載の発明は、肌当接面側の両側部にそれぞれサイドシートを備えるとともに、本体部分の両側部に外方に突出したウイング状フラップが形成された吸収性物品である。前記サイドシートとして、幅方向内側が内側接合領域にて透液性表面シートに接合されるとともに、幅方向外側が外側接合領域にて不透液性裏面シートに接合され、これら内側接合領域と外側接合領域との間に該サイドシートを幅方向に折り返した折り返し部が長手方向に沿って形成されるとともに、該折り返し部が幅方向に折り畳まれ、この折り畳み部分が長手方向の両端部で該サイドシートに接合された構造のものを用いている。また、前記サイドシートは、前記ウイング状フラップを含む長手方向の範囲において、前記内側接合領域と外側接合領域との間に前記サイドシートをいずれの部材にも接合しない非接合領域が形成されている。そして、前記ウイング状フラップを下着のクロッチ部分を巻き込むように外側に折り返すとともに、吸収性物品を身体の前後方向の丸みに沿って湾曲させた吸収性物品の装着状態で、前記非接合領域において、前記折り返し部のサイドシートが展開され、外方に膨出した中空状のクッション部が形成されるようにしている。前記クッション部ではサイドシートがいずれの部材にも接合されていないため、前記サイドシートが拘束されず自由に動くことができるので、脚周りの動きに追従しやすく、装着時の違和感が軽減できるようになるとともに、前記クッション部のサイドシートが肌面に密着して横漏れ防止効果に優れるようになる。
【００１３】
また、本発明では、サイドシートに弾性伸縮部材を配設していないため、弾性伸縮部材が肌に当たることによる装着時の違和感などが生じなくなる。
【００１４】
請求項２に係る本発明として、前記非接合領域は、吸収性物品の幅方向に対し、前記ウイング状フラップの基端より内側位置から前記ウイング状フラップにかけて連続して形成されている請求項１記載の吸収性物品が提供される。
【００１５】
上記請求項２記載の発明では、吸収性物品の幅方向に対する前記非接合領域の範囲を示したものであり、ウイング状フラップの基端より内側位置からウイング状フラップにかけて、すなわちウイング状フラップ基端の折り線に対して内側から外側にかけて連続して形成するのが好ましい。これにより、サイドシートが拘束されない範囲がウイング状フラップの基端より内側位置から開始するため、装着時にウイング状フラップを基端部で折り返すことにより、肌当接面側の両側部にそれぞれ前記クッション部が形成されるようになる。
【００１６】
請求項３に係る本発明として、前記非接合領域は、吸収性物品の長手方向に対し、前記ウイング状フラップの基端部より前側及び後側に長い範囲に形成されている請求項１、２いずれかに記載の吸収性物品が提供される。
【００１７】
上記請求項３記載の発明では、吸収性物品の長手方向に対する前記非接合領域の範囲を示したものであり、ウイング状フラップの基端部より前側及び後側に長い範囲に形成することにより、排血口部の両側に配置されるウイング状フラップより前後に長い範囲に前記クッション部が形成されるようになる。
【００１８】
請求項４に係る本発明として、前記折り返し部は、幅方向の外側に折り畳まれている請求項１〜３いずれかに記載の吸収性物品が提供される。
【００１９】
上記請求項４記載の発明では、前記サイドシートの折り返し部を幅方向の外側に折り畳んでいる。この場合には、装着時に折り返し部のサイドシートが展開することにより、前記クッション部は、幅方向外側が相対的に大きく膨出した断面形状となり、クッション部の肌側面と肌面との密着性が向上するようになる。
【００２０】
請求項５に係る本発明として、前記折り返し部は、幅方向の内側に折り畳まれている請求項１〜３いずれかに記載の吸収性物品が提供される。
【００２１】
上記請求項５記載の発明では、前記サイドシートの折り返し部を幅方向の内側に折り畳んでいる。この場合には、装着時に折り返し部のサイドシートが展開することにより、前記クッション部の幅方向内側に、幅方向内側に傾斜した傾斜壁が形成されるようになるため、体液の堰き止め効果が向上するようになる。
【００２２】
請求項６に係る本発明として、前記サイドシートは、エアスルー不織布からなる請求項１〜５いずれかに記載の吸収性物品が提供される。
【００２３】
上記請求項６記載の発明では、サイドシートによる中空状のクッション部を形成しやすくするととも、クッション部の中空形状を維持しやすくするため、前記サイドシートを比較的剛性が高いエアスルー不織布で構成している。
【００２４】
請求項７に係る本発明として、前記サイドシートは、ポリエチレンテレフタレート繊維を含む不織布からなる請求項１〜６いずれかに記載の吸収性物品が提供される。
【００２５】
上記請求項７記載の発明では、サイドシートによる中空状のクッション部を形成しやすくするとともに、クッション部の中空形状を維持しやすくするため、前記サイドシートとしてポリエチレンテレフタレート繊維を含む不織布で構成している。
【発明の効果】
【００２６】
以上詳説のとおり本発明によれば、脚周りの動きに追従しやすく、装着時の違和感が低減できるとともに、横漏れ防止効果に優れた吸収性物品が提供できるようになる。
【図面の簡単な説明】
【００２７】
【図１】第１形態例に係る生理用ナプキン１の一部破断展開図である。
【図２】図１のII−II線矢視図（生理用ナプキン１の横断面図）である。
【図３】図１のIII−III線矢視図（生理用ナプキン１の横断面図）である。
【図４】図１のII−II線矢視図のサイドシート７部分を拡大した断面図である。
【図５】(A)はサイドシート７と下層側の部材との接合領域、(B)はサイドシート７同士の接合領域を示す、生理用ナプキン１の展開図である。
【図６】生理用ナプキン１の下着３０への装着状態を示す横断面図である。
【図７】第２形態例に係る生理用ナプキン１Ａの一部破断展開図である。
【図８】図７のVIII−VIII線矢視図である。
【図９】図７のIX−IX線矢視図である。
【図１０】第２形態例に係る生理用ナプキン１Ａの下着３０への装着状態を示す横断面図である。
【発明を実施するための形態】
【００２８】
以下、本発明の実施の形態について図面を参照しながら詳述する。
【００２９】
〔第１形態例〕
第１形態例に係る生理用ナプキン１は、図１〜図３に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙又は不織布などからなる被包シート５と、肌当接面側の両側部にそれぞれ長手方向に沿って配設されたサイドシート７、７とから構成されている。また、前記吸収体４の周囲において、そのナプキン長手方向の前後端縁部では、前記不透液性裏面シート２と透液性表面シート３との外縁部がホットメルトなどの接着剤やヒートシール、超音波シール等の接着手段によって接合され、またその両側縁部では吸収体４の側縁よりも側方に延出している前記不透液性裏面シート２と前記サイドシート７とがホットメルトなどの接着剤やヒートシール、超音波シール等の接着手段によって接合され、外周に吸収体４の存在しない外周フラップ部が形成されている。
【００３０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３１】
次いで、前記透液性表面シート３は、不織布が好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。また、融点の高い繊維を芯とし融点の低い繊維を鞘とした芯鞘型繊維やサイド−バイ−サイド型繊維、分割型繊維等の複合繊維を用いることができる。
【００３２】
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するために被包シート５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体を用いてもよい。
【００３３】
前記吸収体４の厚みは、８ｍｍ以下、好ましくは１〜４ｍｍ程度とするのが好ましい。本生理用ナプキン１では、後段で詳述するように、肌当接面側の両側部に配設されたサイドシート７によって外方に膨出した中空状のクッション部２０を形成しているが、このクッション部２０が脚圧などによって潰れたとき、吸収体４の側縁が肌に当たって吸収体４の硬さによる違和感が生じやすくなるため、これを解消する目的で吸収体４の厚みを通常のものに比べて相対的に薄くするのが好ましい。
【００３４】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３５】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３６】
本例のように、吸収体４を囲繞する被包シート５を設ける場合には、結果的に透液性表面シート３と吸収体４との間に被包シート５が介在することになる。前記被包シート５がクレープ紙からなる場合には、吸収性に優れる前記被包シート５によって体液を速やかに拡散させるとともに、これら経血等の逆戻りを防止するようになる。
【００３７】
一方、本生理用ナプキン１の肌当接面側の両側部にはそれぞれ、長手方向に沿ってかつナプキン１のほぼ全長に亘ってサイドシート７、７が設けられ、このサイドシート７、７の一部が側方に延在されるとともに、同じく側方に延在された不透液性裏面シート２の一部とによって、本体部分の両側部に外側に突出するウイング状フラップＷ、Ｗが形成されている。前記ウイング状フラップＷ、Ｗは、装着時に下着３０のクロッチ部分を巻き込むように、基端部の折り線ＲＬ（図１）にて外側に折り返して使用され、ウイング状フラップＷの不透液性裏面シート２の外面に備えられたズレ止め粘着剤層（図示せず）を下着３０の外面に貼着することにより、下着とのズレ止めを図るためのものである。生理用ナプキン１の装着状態で、前記サイドシート７の幅方向内側部分によって肌側に膨出する中空状のクッション部２０が形成されるようになっている。このクッション部２０については、後段で詳述する。
【００３８】
前記サイドシート７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３９】
本生理用ナプキン１では、図１に示されるように、前記透液性表面シート３の面側には、排血口部Ｈを囲むように、圧搾溝１０を形成するのが好ましい。前記圧搾溝１０は、種々の平面パターンで設けることが可能である。本例では、図１に示されるように、排血口部Ｈを囲むように、ナプキン長手方向に長い全体として略小判形の閉合形状を有する中央圧搾溝１１と、前記中央圧搾溝１１より前側に離間して配置され、排血口部Ｈ側が開口した略逆Ｕ字状の前側圧搾溝１２と、前記中央圧搾溝１１より後側に離間して配置され、排血口部Ｈ側が開口した略Ｕ字状の後側圧搾溝１３と、前記中央圧搾溝１１の両側にそれぞれ、前記中央圧搾溝１１より幅方向に離間して配置されるとともに、前記中央圧搾溝１１の両側部にほぼ平行する略長手方向に沿った両側圧搾溝１４、１４とから構成されている。
【００４０】
次に、生理用ナプキン１の装着時に、排血口部Ｈの両側にそれぞれ形成される前記サイドシート７が肌側に膨出した中空状のクッション部２０、２０について、以下詳細に説明する。
【００４１】
前記サイドシート７は、詳細には図４及び図５に示されるように、幅方向内側の端部が幅方向外側に折り返されるとともに、この折り返し部分が長手方向に沿って設けられた内側接合領域２１にて透液性表面シート３に接合されている。一方、前記サイドシート７の幅方向外側は、生理用ナプキン１の外形線に沿って設けられた外側接合領域２２にて不透液性裏面シート２に接合されている。前記内側接合領域２１及び外側接合領域２２はそれぞれ、ホットメルト接着剤をスプレー、スロットコート、スパイラル、カーテンなどの塗工方法によって塗布した領域であり、ナプキン長手方向のほぼ全長に亘って連続して設けられている。
【００４２】
また、前記サイドシート７は、前記内側接合領域２１と外側接合領域２２との間に該サイドシート７を幅方向に折り返した折り返し部２３が長手方向に沿って形成されるとともに、該折り返し部２３が幅方向に折り畳まれ、この折り畳み部分が、図３及び図５(B)に示されるように、ナプキン長手方向の両端部にそれぞれ設けられた折り畳み部接合領域２４、２４にて該サイドシート７に接合されている。前記折り返し部２３は、サイドシート７の幅方向中間部において、サイドシート７の裏面（不透液性裏面シート２側の面）同士を対面させるように１回だけ折り返した部分である。前記折り返し部２３は、前記内側接合領域２１と外側接合領域２２とを繋ぐサイドシート７に沿った中間位置に形成されており、図４に示されるように前記内側接合領域２１がサイドシート７の幅方向内側の端部を幅方向外側に折り返した部分に設けられる場合には、この折り返したサイドシート７に沿う内側接合領域２１と外側接合領域２２との中間に形成され、図示例では内側接合領域２１の上方に折り返し部２３が位置している。図２〜図５に示される例では、前記折り返し部２３は、幅方向の外側に折り畳まれている。
【００４３】
更に、前記サイドシート７は、前記ウイング状フラップＷを含むナプキン長手方向の範囲において、前記内側接合領域２１と外側接合領域２２との間に前記サイドシート７をいずれの部材にも接合しない非接合領域２５が形成されている。サイドシート７をいずれの部材にも接合しないとは、サイドシート７が透液性表面シート３や不透液性裏面シート２など他の部材に接合されないとともに、サイドシート７同士も接合されないことを意味している。前記非接合領域２５において、前記サイドシート７が接合されていないため、サイドシート７が拘束されることなく、比較的自由に動くことができるようになっている。前記非接合領域２５が形成される内側接合領域２１と外側接合領域２２との間とは、上述と同様に、内側接合領域２１と外側接合領域２２とを繋ぐサイドシート７に沿った中間位置のことであって、図４に示されるように前記内側接合領域２１がサイドシート７の幅方向内側の端部を幅方向外側に折り返した部分に設けられる場合には、この内側接合領域２１によって接合されたサイドシート７の肌側に積層されたサイドシート７の部分も非接合領域２５となる。
【００４４】
なお、長手方向両端部において、内側接合領域２１と外側接合領域２２との境界は明確でなくてよく、内側に沿った一定の範囲を内側接合領域２１とし、残りの外側部分を外側接合領域２２とすることができる。
【００４５】
本生理用ナプキン１では、図６に示されるように、前記ウイング状フラップＷを下着３０のクロッチ部分を巻き込むように外側に折り返すとともに、生理用ナプキン１を身体の前後方向の丸みに沿って湾曲させた生理用ナプキン１の装着状態で、前記非接合領域２５において、前記折り返し部２３のサイドシート７が展開され、外方に膨出した中空状のクッション部２０が形成されるようになっている。特に、図６に示される例では、前記折り返し部２３が幅方向の外側に折り畳まれているため、ウイング状フラップＷを外側に折り返すことにより、サイドシート７が引っ張られて、折り返し部２３を形成する２層のサイドシート７のうち下層側のサイドシート７が展開されるのに伴い、上層側のサイドシート７が上方に膨出して中空状のクッション部２０が形成されるようになる。また、前記折り返し部２３を形成する２層のサイドシート７のうち、上方に膨出する上層側のサイドシート７部分は、内側接合領域２１の幅方向内側端縁を基点として幅方向の外側に向けて肌側に傾斜した傾斜面とされるため、この傾斜面が肌面にフィットしやすく、肌との密着性が向上できるようになっている。
【００４６】
これによって、前記クッション部２０では前記サイドシート７がいずれの部材にも接合されていないため、サイドシート７が拘束されず自由に動くことができるので、脚周りの動きに追従しやすく、装着時の違和感が軽減できるようになるとともに、クッション部２０のサイドシート７が肌面に密着しやすく、体液の横漏れ防止効果に優れるようになる。
【００４７】
前記クッション部２０について更に詳細に説明すると、前記非接合領域２５は、図５(A)に示されるように、生理用ナプキン１の幅方向に対し、ウイング状フラップＷの基端より内側位置（幅方向中心側位置）からウイング状フラップＷにかけて連続して形成するのが好ましい。つまり、前記非接合領域２５は、ウイング状フラップＷの基端部の折り線ＲＬに対して、幅方向の内側から外側にかけて連続して設けられている。このとき、前記非接合領域２５のナプキン幅方向の長さＡは、２０〜５０ｍｍ、好ましくは３０〜４０ｍｍとするのがよい。前記長さＡは、図４に示される例では、サイドシート７の幅方向内側の端部を幅方向外側に折り返した部分に内側接合領域２１が設けられているため、前記内側接合領域２１の幅方向内側と外側接合領域２２の幅方向内側との間のナプキン幅方向の長さをとっている。
【００４８】
前記非接合領域２５は、生理用ナプキン１の長手方向に対し、ウイング状フラップＷの基端部より前側及び後側に長い範囲に形成するのが好ましい。つまり、前記非接合領域２５は、少なくともウイング状フラップＷが存在する範囲に設けられている。前記ウイング状フラップＷの基端部とは、装着時にウイング状フラップＷを折り返すウイング状フラップＷの折り線ＲＬの部分である。前記非接合領域２５のナプキン長手方向の長さＢは、ウイング状フラップＷの基端部のナプキン長手方向の長さより長く形成するのが好ましく、具体的には７０〜１４０ｍｍ、好ましくは９０〜１２０ｍｍとするのがよい。前記長さＢは、図５(A)に示されるように、サイドシート７を下層側の部材に接合する内側接合領域２１及び外側接合領域２２においては、内側接合領域２１と外側接合領域２２とが幅方向に離間し始める位置同士のナプキン長手方向の距離であり、同図５(B)に示されるように、サイドシート７の折り返し部２３を該サイドシート７に接合する折り畳み部接合領域２４においては、両端の折り畳み部接合領域２４、２４間の距離である。図５においては、これらの距離がほぼ同等に形成されているが、異なる場合には、いずれか短い方の距離を採用すればよい。前記ウイング状フラップＷは概ね着用者の排血口部Ｈの両側に位置しているため、少なくともウイング状フラップＷが存在する範囲を非接合領域２５とすることにより、排血口部Ｈの両側に前記クッション部２０が形成されるようになり、脚周りの動きに対する追従性及び体液の横漏れ防止効果が向上するようになる。
【００４９】
図４に示されるように、前記折り返し部２３は、吸収体４の側縁部を基端として形成され、この折り返し部２３を幅方向外側に折り畳んだ状態で、折り返し端部が吸収体３の側縁より外側に延在するように形成するのが好ましい。これにより、装着時にウイング状フラップＷを下着３０のクロッチ部分を巻き込むように外側に折り返した際、前記折り返し部２３のサイドシート７が展開して肌側に膨出した中空状のクッション部２０が形成されやすくなる。
【００５０】
図４に示されるように、前記折り返し部２３の折り返し幅Ｃは、５〜１５ｍｍ、好ましくは８〜１２ｍｍとするのがよい。折り返し幅Ｃをこの範囲とすることにより、装着時にウイング状フラップＷを外側に折り返したとき、折り返し部２３のサイドシート７が展開しやすく、中空状のクッション部２０が形成されやすくなる。
【００５１】
前記サイドシート７の幅方向内側の端部は、図４に示される例では幅方向外側に折り返して、この折り返し部が内側接合領域２１にて透液性表面シート３に接合されるようになっているが、幅方向外側に折り返さずに幅方向内側に延在させサイドシート７の幅方向内側縁が幅方向内側に向いた状態で、透液性表面シート３に接合するようにしてもよい。しかし、前者の方が、前記クッション部２０を形成するに当たって、サイドシート７の幅方向内側の端部を幅方向外側に折り返した部分の曲げ復元性が加わることによって、クッション部２０の肌当接面となるサイドシート部分が肌側に膨出しやすくなるため、好ましい。なお、前記前記サイドシート７の幅方向内側の端部は、前記内側接合領域２１にて、透液性表面シート３を含む範囲に接合されていればよく、前記透液性表面シート３の側縁を越えて不透液性裏面シート２に接合されるようにしても構わない。
【００５２】
ところで、本生理用ナプキン１では、前記サイドシート７に弾性伸縮部材を配設しないのが好ましい。本生理用ナプキン１では、装着時にウイング状フラップＷを下着のクロッチ部分を巻き込むように外側に折り返すとともに、ナプキンを身体の前後方向の丸みに沿って湾曲させることにより、肌当接面側の両側部に肌側に膨出する中空状のクッション部２０が形成され、弾性伸縮部材によることなく肌側に膨出する中空状部が形成できる点に特徴を有している。弾性伸縮部材を配設しないことにより、弾性伸縮部材が肌に当たるなどの装着時の違和感が解消できるようになる。また、クッション部２０がより柔軟に変形できるため、脚周りの動きに対する追従性が良好となり、肌との密着性が高まり、体液の漏れ防止効果が向上するようになる。
【００５３】
前記サイドシート７は、エアスルー法、スパンレース法、スパンボンド法、サーマルボンド法、メルトブローン法、ニードルパンチ法等の適宜の加工法によって得られた不織布を用いることができるが、エアスルー不織布を用いるのが特に好ましい。エアスルーは、他の加工法に比べ、比較的高い剛性の不織布を得るのに適しており、エアスルー不織布を用いることにより、中空状のクッション部２０を形成する際、クッション部２０が形成されやすくなるとともに、クッション部２０の中空形状が維持されやすくなる。
【００５４】
このクッション部２０を形成しやすくするとともに、中空形状を維持しやすくするという観点から、前記サイドシート７を構成する繊維の繊度は、２．２ｄｔｅｘ以下が好ましく、サイドシート７の目付は、１５〜３０ｇ／ｍ２、好ましくは１８〜２２ｇ／ｍ２とするのがよい。
【００５５】
また、前記サイドシート７は、ポリエチレンテレフタレート（ＰＥＴ）繊維を含む不織布によって構成するのが好ましい。前記ポリエチレンテレフタレート繊維は、一般的に曲げに対する抵抗力が強く、曲げ復元性が高いとともに、柔軟性に優れた材料である。このため、前記サイドシート７がポリエチレンテレフタレート繊維を含むことにより、装着状態で、折り返し部２３のサイドシート７が展開しやすくなり、中空状のクッション部２０が形成されやすくなる。前記ポリエチレンテレフタレート繊維の配合割合は任意であるが、３０〜１００重量％、好ましくは５０〜９０重量％程度とするのがよい。また、前記サイドシート７を２層以上の多層構造とし、少なくとも肌当接面の層にポリエチレンテレフタレート繊維を含ませるようにすることも可能である。前記ポリエチレンテレフタレート繊維は、ポリエチレンテレフタレートのみからなる繊維でもよいし、ポリエチレンテレフタレートを含む繊維でもよい。
【００５６】
〔第２形態例〕
次に、第２形態例に係る生理用ナプキン１Ａについて、図７〜図１０に基づいて説明する。第２形態例に係る生理用ナプキン１Ａは、上記第１形態例に係る生理用ナプキン１に比べて、図７〜図９に示されるように、前記サイドシート７の折り返し部２３が幅方向の内側に折り畳まれている点で相違する。
【００５７】
具体的には、図８及び図９に示されるように、幅方向内側に向けて延びるサイドシート７の幅方向内側の端部が長手方向に沿って設けられた内側接合領域２１にて透液性表面シート３に接合され、前記内側接合領域２１の幅方向外側端の直ぐ外側において、サイドシート７が幅方向に折り返された折り返し部２３が長手方向に沿って形成されるとともに、該折り返し部２３が幅方向の内側に折り畳まれ、この折り畳み部分がナプキン長手方向の両端部の折り畳み部接合領域２４で前記サイドシート７に接合されている。
【００５８】
本第２形態例に係る生理用ナプキン１Ａでは、図１０に示されるように、ウイング状フラップＷを下着３０のクロッチ部分を巻き込むように外側に折り返すとともに、生理用ナプキン１Ａを身体の前後方向の丸みに沿って湾曲させた生理用ナプキン１Ａの装着状態で、非接合領域２５において、前記折り返し部２３のサイドシート７が展開され、外方に膨出した中空状のクッション部２０が形成されるようになる。前記クッション部２０は、前記ウイング状フラップＷを外側に折り返すことにより、サイドシート７が外側に引っ張られ、これに伴い内側に折り畳まれた折り返し部２３が起立するとともに、折り返し部２３を構成する両側のシート間が離間して中空状に形成されるようになっている。この中空状のクッション部２０は、前記折り返し部２３を構成する２層のシート部分のうち、幅方向内側のシート部分２３ａが内側接合領域２１の幅方向外側端縁を基端として、肌側に向けて起立するとともに、幅方向内側に傾斜した傾斜壁を形成するようになるので、この傾斜壁部分がポケット状の防漏壁を構成し、外側に向けて流れる体液を効果的に堰き止めることができるようになる。
【００５９】
〔他の形態例〕
上記形態例では、ウイング状フラップＷがナプキン長手方向のほぼ中央部に設けられた所謂昼用ナプキンについて説明したが、ウイング状フラップＷが前側寄り位置に設けられ、ウイング状フラップＷの後側に臀部を覆うヒップホールド用フラップが形成された所謂夜用ナプキンについても同様に適用可能である。この場合、前記非接合領域２５は、ウイング状フラップＷの前側より後側の方が相対的に長手方向に長い範囲に形成するのが好ましい。
【符号の説明】
【００６０】
１…生理用ナプキン、２…不透液性裏面シート、３…透液性表面シート、４…吸収体、５…被包シート、７…サイドシート、１０…圧搾溝、１１…中央圧搾溝、１２…前側圧搾溝、１３…後側圧搾溝、１４…両側圧搾溝、２０…クッション部、２１…内側接合領域、２２…外側接合領域、２３…折り返し部、２４…折り畳み部接合領域、２５…非接合領域、３０…下着
【図１】
0006232455.tif 000002
【図２】
0006232455.tif 000003
【図３】
0006232455.tif 000004
【図４】
0006232455.tif 000005
【図５】
0006232455.tif 000006
【図６】
0006232455.tif 000007
【図７】
0006232455.tif 000008
【図８】
0006232455.tif 000009
【図９】
0006232455.tif 000010
【図１０】
0006232455.tif 000011